(57)【特許請求の範囲】
【請求項１】
低周波を送信する送信器と、前記送信器から送信された前記低周波を受信する受信器と、からなる電話回線試験装置であって、
前記送信器は、アース線に接続される陰極端子と、試験対象回線に接続される陽極端子と、を備え、
前記受信器は、前記送信器から送信された前記低周波を前記送信器と非接触で検出する信号検出部と、前記信号検出部が前記低周波を検出したことを報知する報知手段と、前記信号検出部が設けられている面側に前記受信器を前記試験対象回線に吊り下げ可能なフック部と、を備え、
前記低周波は、１００ヘルツ以上３００ヘルツ以下の周波数の波からなる出力信号であり、
前記報知手段は、ＬＥＤ及び放音手段であり、
前記ＬＥＤは、前記信号検出部が設けられている面と反対側の面及び隣接する面にそれぞれ設けられており、
前記フック部が上面側に、前記ＬＥＤが下面側にそれぞれ設けられていることを特徴とする、
電話回線試験装置。
【発明の詳細な説明】
【技術分野】
【０００１】
本発明は、電話回線試験装置及びこれを用いた電話回線試験方法に関する。
【背景技術】
【０００２】
従来から、電話回線の故障箇所の探索を可能とする故障探索装置が知られている。例えば、特許文献１には、故障箇所より電話交換機に近い側の電話回線部分を分断して、該分断部分の電話交換機側電話回線にはコードレス電話機の主装置を接続し、前記分断部分の電話機側電話回線には可聴音信号を送出するようにし、前記コードレス電話機の主装置とコードレス電話機子機の送受信器とで電話通信を確保するとともに、前記分断部分と前記電話機との間の電話回線について順次前記可聴音の測定を行って前記故障箇所を探索する故障探索装置が記載されている。
【先行技術文献】
【特許文献】
【０００３】
【特許文献１】特開平９−１５３９３３号公報
【発明の概要】
【発明が解決しようとする課題】
【０００４】
しかしながら、このような故障探索装置では、予め故障していることが明らかな電話回線の故障探索を行うことはできるが、故障部分を含む回線と正常な回線とを含む複数の電話回線の束から、故障した電話回線を発見するといった探索には向かない。すなわち、可聴音信号には高周波を含むため、高周波を含む可聴音信号を送信した場合には、現用回線に影響を与える可能性があるという課題がある。
【０００５】
加えて、例えば、契約解除等によって現在使われていない電話回線が含まれている場合に、このような回線を現用線に影響を与えることなく探索することができる電話回線試験装置が熱望されている。
【０００６】
本発明は、このような課題に鑑みなされたものであり、複数の電話回線の束から、現在使われていない電話回線を、現用線に与える影響を低くした状態で探索することができる電話回線試験装置及びこの電話回線試験装置を用いた回線試験方法を提供することを主目的とする。
【課題を解決するための手段】
【０００７】
本発明は、上述の目的の少なくとも一つを達成するために以下の手段を採った。
【０００８】
本発明の電話回線試験装置は、
低周波を送信する送信器と、前記送信器から送信された前記低周波を受信する受信器と、からなる電話回線試験装置であって、
前記送信器は、アース線に接続される陰極端子と、試験対象回線に接続される陽極端子と、を備え、
前記受信器は、前記送信器から送信された前記低周波を前記送信器と非接触で検出する信号検出部と、前記信号検出部が前記低周波を検出したことを報知する報知手段と、前記信号検出部が設けられている面側に前記受信器を前記試験対象回線に吊り下げ可能なフック部と、を備え、
前記低周波は、１００ヘルツ以上３００ヘルツ以下の周波数の波からなる出力信号であり、
前記報知手段は、ＬＥＤ及び放音手段であり、
前記ＬＥＤは、前記信号検出部が設けられている面と反対側の面及び隣接する面にそれぞれ設けられており、
前記フックが上面側に、前記ＬＥＤが下面側にそれぞれ設けられていることを特徴とする、
ものである。
【０００９】
この電話回線試験装置は、送信器の陰極端子がアース線に接続され、陽極端子が試験対象回線に接続された状態で、送信器から低周波が出力される。この低周波を試験対象回線に受信器を近づけることで検出し、低周波を検出した場合には、報知手段を用いて低周波を検出したことを報知する。このように、送信器から出力される出力信号として低周波を用いることにより、現用線に影響を与えることを低減し、試験対象回線を試験することができる。なお、ここで低周波とは、３００ヘルツ以下の周波数の波であって、例えば、２７０ヘルツ、２２０ヘルツ、１６５ヘルツ等の周波数の波を意味する。
【００１０】
本発明の電話回線試験装置において、前記送信器は、前記陰極端子と前記陽極端子との間の電圧を測定する電圧測定部と、前記陰極端子と前記陽極端子との間の電圧が低電圧範囲内である場合に、前記低周波を出力する送信制御部と、を備えていることを特徴としてもよい。このように、アース線に接続された陰極端子と試験対象回線に接続された陽極端子との間の電圧を測定することで、陽極端子に接続された試験対象回線が現用線であるか、アースに短絡しているものであるか等を確認することができる。加えて、陰極端子と陽極端子との間の電圧が低電圧範囲内である場合には、基地局から電圧が印加されていない状態であること、つまり、試験対象回線が現用線でないことが想定されるため、このような場合に低周波を出力することにより、現用線に影響を与える可能性を低減しつつ、試験対象回線を試験することができる。なお、ここで、低電圧範囲内とは、電圧の値が値ゼロであってもよいし、値ゼロ近傍の値（例えば、１ボルト以下等）であってもよい。
【００１１】
本発明の電話回線試験装置において、前記信号検出部が設けられている面側には、前記受信器を前記試験対象回線に吊り下げ可能なフック部が設けられていることを特徴としてもよい。こうすれば、試験対象回線にフック部を吊り下げて使用した際、信号検出部が試験対象回線の近くに位置することになるため、測定者が常に受信器を指示すること無く、試験対象回線に吊り下げて受信器を使用することができるため、高い利便性を有する。この効果は、通常高所に設けられていることが多い電話回線の試験を本発明で行った場合に、特に効果が大きい。
【００１２】
本発明の電話回線試験装置において、前記報知手段は、ＬＥＤ及び放音手段であることを特徴としてもよい。こうすることにより、光と音の２種類で報知することができるため、いずれか一方の場合と比較して、低周波を検知した際に、確実に報知することができる。
【００１３】
本発明の電話回線試験装置において、前記ＬＥＤは、前記信号検出部が設けられている面と反対側の面及び隣接する面にそれぞれ設けられていることを特徴としてもよい。こうすることにより、例えば、高所に敷設された電話回線に信号検出部を近づけて利用する等、高所で使用する場合には、信号検出部とは反対側、すなわち、低い位置にＬＥＤが位置することになるため、ＬＥＤの点灯を測定者が確認しやすい。
【００１４】
本発明の電話回線試験方法は、
低周波を送信する送信器と、前記送信器から送信された前記低周波を受信する受信器と、からなる電話回線試験装置であって、前記送信器は、アース線に接続される陰極端子と、試験対象回線に接続される陽極端子と、を備え、前記受信器は、前記送信器から送信された前記低周波を非接触で検出する信号検出部と、前記信号検出部が前記低周波を検出したことを報知する報知手段と、を備えた電話回線試験装置を用いて行う電話回線試験方法であって、
前記送信器の前記陰極端子をアース線に接続し、前記陽極端子を試験対象回線に接続した状態で、前記低周波を送信する送信ステップと、
前記送信ステップで送信された前記低周波を前記信号検出部で検出可能かを確認する検出ステップと、
を含むことを特徴とする、
ものである。
【００１５】
この電話回線試験方法は、送信器の陰極端子がアース線に接続され、陽極端子が試験対象回線に接続された状態で、送信器から低周波が出力される。この低周波を試験対象回線に受信器を近づけることで検出し、低周波を検出した場合には、報知手段を用いて低周波を検出したことを報知する。このように、送信器から出力される出力信号として低周波を用いることにより、現用線に影響を与えることを低減し、試験対象回線を試験することができる。
【図面の簡単な説明】
【００１６】
【図１】図１は、電話回線試験装置２０の送信器３０の構成の概略を示す説明図である。
【図２】図２は、電話回線試験装置２０の送信器３０の電気的な接続の概略を示すブロック図である。
【図３】図３は、電話回線試験装置２０の受信器５０の構成の概略を示す説明図である。
【図４】図４は、電話回線試験装置２０の受信器５０の電気的な接続の概略を示すブロック図である。
【図５】図５は、送信制御処理ルーチンの一例を示すフローチャートである。
【発明を実施するための形態】
【００１７】
次に、本発明の実施の形態の一例として、電話回線試験装置２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、電話回線試験装置２０で回線試験を行う方法の一例を示すことで、本発明の電話回線試験方法の一例も明らかにする。
【００１８】
本発明の実施の形態の一例である電話回線試験装置２０は、図１及び図３に示すように、検査信号として低周波を出力する送信器３０と、送信器３０から出力された検査信号を受信する受信器５０と、からなる。この電話回線試験装置２０は、基地局と接続されていない回線を含む回線の束のうち、特定の回線に送信器３０を接続した状態で低周波を出力する。続いて、受信器５０を用いてこの低周波を検出する回線を探索することで、特定の回線を見つけることができる。このとき、送信器３０から出力される検査信号として低周波を用いることにより、現用回線に影響を与えたり、商用電源の高調波の影響を受けたりする可能性を未然に低減することができる。
【００１９】
送信器３０は、図２に示すように、アース線と接続可能な陰極端子３２と、試験対象回線と接続可能な複数の陽極端子３４ａ及び陽極端子３４ｂ（以下、「陽極端子３４」とも言う。）と、が備えられている。この送信器３０は、電源ボタン３６が押下されると、バッテリ３８より送信制御部４０に電力が供給され、送信信号として低周波信号が送信される。また、送信制御部４０は、図２に示すように、ＣＰＵ４１を中心とするマイクロプロセッサとして構成されており、矩形波の発信を制御する制御プログラムを含む各種プログラム等が記憶されたＲＯＭ４２と、矩形波の波形を変更する積分回路４４と、積分回路４４から出力されたのこぎり波形を増幅するパワーアンプ４６と、陰極端子３２と陽極端子３４との間の電圧を測定する電圧測定回路４８（本発明の、電圧測定部に相当）と、がそれぞれ電気的に接続されている。こうすることにより、所定の周波数で十分な出力の出力信号を送信することができる。なお、送信制御部４０は、マイクロプロセッサとして構成されるものとしたが、ＬＳＩ等のＩＣ回路を用いて、同様の処理を行うものとしてもよい。こうすることにより、送信制御部４０を小型化することができる。
【００２０】
受信器５０は、図３に示すように、試験対象回線に吊り下げ可能なフック部５２と、送信器３０から発信された送信信号を検出する信号検出部５４と、信号検出部５４の感度を調節する感度調整ボタン５６と、報知手段である側面側に設けられた側面ＬＥＤ５８ａ及び底面に設けられた底面ＬＥＤ５８ｂ（以下、「ＬＥＤ５８」とも言う。）及び報知音を放音するスピーカ５９（本発明の放音手段に相当）と、が備えられている。この受信器５０は、信号検出部５４で送信信号を検知すると、受信制御部６０で増幅され、ＬＥＤ５８の点灯及びスピーカ５９からの放音により、送信信号を検知したことを報知する。こうすることにより、試験対象回線の異常の有無を検出することができる。
【００２１】
フック部５２は、略半円形状に湾曲したステンレス製の部材であり、信号検出部５４の外側に設けられている。このフック部５２は、フック部５２の端部から信号検出部５４までの距離が３０ミリメートル以上となるように、信号検出部５４が内側に位置する方向に湾曲して形成されている。通常、電話回線は、表面の被覆部分を含む直径が３０ミリメートル未満であるため、３０ミリメートル以上の距離とすることで、いずれの太さの電話回線に対しても、フック部５２を吊り下げることができる。また、フック部５２はステンレス製であるため、雨天に屋外で使用した場合であっても、錆びにくい。
【００２２】
受信制御部６０は、図４に示すように、ＣＰＵ６１を中心とするマイクロプロセッサとして構成されており、信号検出部５４で検知した出力信号を増幅する信号増幅器６２と、所定の周波数の信号のみを通過させるバンドパスフィルタ６３と、バンドパスフィルタ６３を通過した周波数のアナログ信号をデジタル信号に変換するＡ／Ｄ変換器６４と、出力信号を受信した際に動作等を制御する制御プログラムを含む各種プログラム等が記憶されたＲＯＭ６５と、が設けられており、それぞれ電気的に接続されている。この受信制御部６０は、信号検出部５４で出力信号を検知したとＣＰＵ６１が判断すると、スピーカ５９を介して報知音を放音し、ＬＥＤ５８を点灯する。こうすることにより、受信信号を検知したことを報知することができる。
【００２３】
続いて、この電話回線試験装置２０を用いて電話回線を試験する試験方法について説明する。この電話回線試験装置２０は、複数の電話回線を有する接続端子函の中に、１又は２以上の現在使用されていない電話回線がある場合に、その電話回線を探索するために使用するものである。このような電話回線を放置すると経年劣化等により切れて垂れ下がる可能性があるため、早急に撤去すべきものであるが、複数の電話回線の中から、現用線に影響を与えること無く、このような電話回線を抽出することは多大な労力が必要な作業である。しかしながら、この電話回線試験装置２０を用いることで、容易に抽出し、撤去することができる。
【００２４】
電話回線を試験する際には、接続端子函に接続されている複数の電話回線の束から、現用線でない電話回線を判定する必要がある。現用線であるか否かを判定する際には、まず、陰極端子３２をアース線や接続端子函の吊り線等に接続し、基準電位を得る。次に、送信器３０の電源ボタン３６を押下し、陽極端子３４を試験対象回線に接続する。このとき、送信器３０には、陰極端子３２と陽極端子３４との間の電圧を測定する電圧測定回路４８が設けられているため、陰極端子３２と陽極端子３４との間の電圧を測定することができる。通常、現用線には電話局より約４８ボルトの直流電圧が印加されているため、陰極端子３２と陽極端子３４との電圧が約４８ボルトである場合には、現用線であることが分かる。このような電話回線は、現在使用している電話回線であるため、陽極端子３４を取り外し、他の試験対象回線に繋ぐ。一方、陰極端子３２と陽極端子３４との電圧が約４８ボルトより著しく低い場合には、現用線として使用されていないと考えられる。このように、陽極端子３４と陰極端子３２との電圧を測定することで、現在使われていない電話回線の接続端子函側を容易に特定することができる。
【００２５】
ここで、送信制御部４０が送信器３０の動作を制御する送信制御処理ルーチンについて、図５を用いて説明する。図５は、送信制御処理ルーチンの一例を示すフローチャートであり、電源ボタン３６が押下され、ＣＰＵ４１に電力が供給されると、繰り返し実行される。この送信制御処理ルーチンが実行されると、ＣＰＵは電圧測定回路４８に電力を供給し、電圧測定回路４８で電圧が測定可能な状態とする（ステップＳ１１０）。次に、ＣＰＵ４１は、電圧測定回路４８で測定された所定の低電圧範囲内であるか否かを判定し（ステップＳ１２０）、所定の低電圧範囲内でないと判定した場合には、本ルーチンを終了する。上述したように、通常基地局から４８ボルトの電圧が印加されているため、このような場合には、電話局から正常に印加された電圧であることが想定され、現用線であると判定できるためである。こうすることにより、現用機でない電話回線の接続端子函側を容易に特定することができる。言い換えると、複数の電話線の束から、何らかの異常を有している可能性の高い電話回線を容易に抽出することができる。なお、ここで低電圧範囲内とは、例えば、０ボルトであってもよいし、０ボルトに近い値、例えば、１ボルト以下等であってもよい。
【００２６】
一方、ＣＰＵ４１がステップＳ１２０で低電圧範囲内であると判定した場合には、ＣＰＵ４１によって２２０ヘルツの低周波数の矩形波を作成し（ステップＳ１３０）、積分回路４４及びパワーアンプ４６を経て陽極端子３４から低周波の出力信号を出力する（ステップＳ１４０）。この出力信号を保安器側で受信器５０を用いて検出することで、受信器５０と接続されている電話線の保安器側を特定することができる。ここで、低周波数の矩形波は、現用線に影響を与えない３００ヘルツ以下であることが好ましく、商用電源である５０ヘルツ及び６０ヘルツの高調波の影響を受けない１００ヘルツ以上であることが好ましい。このことから、１００ヘルツ以上３００ヘルツ以下であって、５０ヘルツ又は６０ヘルツの整数倍でない周波数であることが好ましく、目的以外の回線へ信号が漏れることを未然に防止するという観点から、周波数が低いほどが好ましい。また、出力される際は、電圧は約１８ボルトであることが好ましい。こうすることにより、受信器５０が２キロメートル離れた位置であっても受信器５０が出力信号を検出することができる。通常、接続端子函と保安器との距離は２キロメートルを超えることはないため、十分な出力であると言える。
【００２７】
次に、受信器５０側で出力信号を検出する方法を説明する。受信器５０で出力信号を検出する際には、試験対象回線の表面に受信器５０を近づける。こうすることにより、受信器５０に設けられた信号検出部５４が出力信号を検知することができる。信号検出部５４が出力信号を検知すると、受信器５０はＬＥＤ５８を点灯すると共に、スピーカ５９から報知音を放音する。こうすることにより、音と光の２種類の手段で、確実に出力信号を検知したことを報知し、容易に現在使用されていない電話回線を探し出すことができる。このとき、ＬＥＤ５８は側面側と底面側にそれぞれ設けられているため、例えば、高所に位置する電話回線にフック部５２等で吊り下げて使用していた場合であっても、下方から目視で確認しやすい。
【００２８】
以上詳述した電話回線試験装置２０によれば、送信器３０の陰極端子３２をアース線に接続し、陽極端子３４を試験対象回線に接続し、陽極端子３４より低周波を出力する。こうすることにより、現用線に影響を与えること無く、試験に必要な低周波を出力することができ、この低周波を受信器５０で検出することで、現在使用していない電話回線を探し出すことができる。
【００２９】
また、電圧測定回路４８を備え、電圧測定回路４８で測定された電圧が低電圧範囲内である場合に低周波を出力する。電圧測定回路４８で測定された電圧が低電圧範囲内である場合とは、すなわち、電話局からの電圧が印加されていない状態を意味するため、複数の電話回線の束の中から、何らかの異常を有する電話回線を、現用線に影響を与えることを低減した状態で、容易に抽出することができる。また、ここで抽出した電話回線の他端側で受信器５０を使用することで、電話回線の他端側を探し出すことができるため、電話回線の束の中から排除すべき電話回線を容易に見つけ出すことができる。
【００３０】
更に、信号検出部５４側にフック部５２が設けられているため、試験対象回線にフック部５２を吊り下げた際、信号検出部５４は試験対象回線に隣接する位置に位置することになる。こうすることにより、試験対象回線にフック部５２を吊り下げた状態で使用することができるため、特に、高所に設置されることが多い電話回線の試験をする際に、容易に試験することができる。
【００３１】
更にまた、受信器５０は、ＬＥＤ５８及びスピーカ５９を有しているため、信号検出部５４で低周波を検知した際、光と音の２種類の報知手段によって検知を報知することができる。このため、低周波を検知したことを、より確実に報知することができる。
【００３２】
そして、ＬＥＤ５８として、側面ＬＥＤ５８ａが側面側に、底面ＬＥＤ５８ｂが底面側に、それぞれ設けられているため、例えば、高所に敷設された電話回線にフック部５２を吊り下げて使用する場合には、底面側に底面ＬＥＤ５８ｂが備えられているため、点灯が視認しやすい。
【００３３】
なお、本発明は上述した実施形態に何ら限定されることはなく、本発明の技術的範囲に属する限り種々の態様で実施し得ることはいうまでもない。
【産業上の利用可能性】
【００３４】
上述した実施の形態で示すように、電話線の試験分野、特に使用されていない電話線を探索する電話線試験装置として利用することができる。
【符号の説明】
【００３５】
２０…電話回線試験装置、３０…送信器、３２…陰極端子、３４…陽極端子、３４ａ…陽極端子、３４ｂ…陽極端子、３６…電源ボタン、３８…バッテリ、４０…送信制御部、４１…ＣＰＵ、４２…ＲＯＭ、４４…積分回路、４６…パワーアンプ、４８…電圧測定回路、５０…受信器、５２…フック部、５４…信号検出部、５６…感度調整ボタン、５８…ＬＥＤ、５８ａ…側面ＬＥＤ、５８ｂ…底面ＬＥＤ、５９…スピーカ、６０…受信制御部、６１…ＣＰＵ、６２…信号増幅器、６３…バンドパスフィルタ、６４…Ａ／Ｄ変換器、６５…ＲＯＭ。
【図１】
0006649107.tif 000002
【図２】
0006649107.tif 000003
【図３】
0006649107.tif 000004
【図４】
0006649107.tif 000005
【図５】
0006649107.tif 000006